【手続補正書】
【提出日】平成16年7月15日(2004.7.15)
【手続補正１】
【補正対象書類名】明細書
【補正対象項目名】発明の名称
【補正方法】変更
【補正の内容】
【発明の名称】通信方法、通信網におけるトラフィックの分散制御方法、情報配信システム、情報発信装置及び情報通信端末
【手続補正２】
【補正対象書類名】明細書
【補正対象項目名】特許請求の範囲
【補正方法】変更
【補正の内容】
【特許請求の範囲】
【請求項１】
情報発信装置から通信網を介して複数の情報通信端末に対し、特定の接続先に接続するための接続先情報が付加された配信情報を配信し、該接続先情報に基づいて各情報通信端末から通信網を介して該特定の接続先に接続して通信する通信方法であって、
該情報通信端末から該特定の接続先に接続するための該情報通信端末の接続操作時から、該情報通信端末から該特定の接続先に対する送信信号の送信時までの遅延時間を、各情報通信端末ごとにずらして分散させるように設定することを特徴とする通信方法。
【請求項２】
請求項１の通信方法において、
各情報通信端末で、該情報通信端末を識別するための端末識別情報と上記情報配信の時刻情報とに基づいて上記遅延時間を設定することを特徴とする通信方法。
【請求項３】
請求項２の通信方法において、
上記端末識別情報と上記情報配信の時刻情報とに基づいて乱数を生成し、
上記遅延時間の最小単位である時間係数を該乱数に乗じた値を、該遅延時間として設定することを特徴とする通信方法。
【請求項４】
請求項３の通信方法において、
上記情報発信装置から、上記時間係数を上記配信情報に付加して各情報通信端末に配信することを特徴とする通信方法。
【請求項５】
請求項４の通信方法において、
上記配信情報の配信時間、該配信情報の内容、上記情報通信端末の数等の通信条件に基づいて、上記時間係数を変化させることを特徴とする通信方法。
【請求項６】
請求項２、３、４又は５の通信方法において、
上記配信情報の配信時間、該配信情報の内容、上記情報通信端末の数等の通信条件に基づいて、上記遅延時間の設定処理を選択的に行なうことを特徴とする通信方法。
【請求項７】
請求項６の通信方法において、
上記情報発信装置から、上記情報通信端末で上記遅延時間の設定処理を行なうか否かを指定するための遅延時間設定処理制御情報を、上記配信情報に付加して各情報通信端末に配信することを特徴とする通信方法。
【請求項８】
複数の情報通信端末から通信網を介して特定の接続先に接続して通信する通信方法であって、
該情報通信端末から該特定の接続先に接続するための該情報通信端末の接続操作時から、該情報通信端末から該特定の接続先に対する送信信号の送信時までの遅延時間を、各情報通信端末ごとにずらして分散させるように設定することを特徴とする通信方法。
【請求項９】
請求項８の通信方法において、
各情報通信端末で、該情報通信端末を識別するための端末識別情報と該情報通信端末内で生成される時刻情報とに基づいて上記遅延時間を設定することを特徴とする通信方法。
【請求項１０】
情報発信装置から通信網を介して複数の情報通信端末に対し、特定の接続先に接続するための接続先情報が付加された配信情報を配信し、該接続先情報に基づいて各情報通信端末から通信網を介して該特定の接続先に接続して通信する通信方法であって、
該情報通信端末の表示部に、該接続先情報を非表示状態にして該配信情報を表示することを特徴とする通信方法。
【請求項１１】
情報発信装置から通信網を介して複数の情報配信地域ごとに複数の情報通信端末に対し、特定の接続先に接続するための接続先情報が付加された配信情報を配信し、該接続先情報に基づいて各情報通信端末から通信網を介して該特定の接続先に接続して通信する通信方法であって、
該情報配信地域ごとに、該接続先情報が付加された配信情報の内容及び配信タイミングの少なくとも一つを異ならせたことを特徴とする通信方法。
【請求項１２】
請求項１、２、３、４、５、６、７、８、９、１０又は１１の通信方法において、
上記情報通信端末が携帯電話機であり、
上記通信網が携帯電話通信網を含むことを特徴とする通信方法。
【請求項１３】
配信情報を発信する情報発信装置と、該情報発信装置と複数の情報通信端末との間の情報伝送を中継する中継装置を含む通信網とを用いて構成され、該情報発信装置から該通信網を介して複数の情報通信端末に対し、特定の接続先に接続するための接続先情報が付加された配信情報を配信し、該接続先情報に基づいて各情報通信端末から通信網を介して該特定の接続先に接続して通信するための情報配信システムであって、
該情報通信端末から該特定の接続先に接続するための該情報通信端末の接続操作時から、該情報通信端末から該特定の接続先に対する送信信号の送信時までの遅延時間を該情報通信端末で設定するときに用いる該遅延時間の最小単位である時間係数を、該配信情報に付加して各情報通信端末に配信するように、該情報発信装置を構成したことを特徴とする情報配信システム。
【請求項１４】
配信情報を発信する情報発信装置と、該情報発信装置と複数の情報通信端末との間の情報伝送を中継する中継装置を含む通信網とを用いて構成され、該情報発信装置から該通信網を介して複数の情報通信端末に対し、特定の接続先に接続するための接続先情報が付加された配信情報を配信し、該接続先情報に基づいて各情報通信端末から通信網を介して該特定の接続先に接続して通信するための情報配信システムであって、
該情報通信端末から該特定の接続先に接続するための該情報通信端末の接続操作時から、該情報通信端末から該特定の接続先に対する送信信号の送信時までの遅延時間を該情報通信端末で設定するか否かを指定するための遅延時間設定処理制御情報を、該配信情報に付加して各情報通信端末に配信するように、該情報発信装置を構成したことを特徴とする情報配信システム。
【請求項１５】
請求項１３又は１４の情報配信システムにおいて、
情報配信先である上記情報通信端末が携帯電話機であり、
上記通信網が携帯電話通信網を含むことを特徴とする情報配信システム。
【請求項１６】
情報発信装置から通信網を介して配信された、特定の接続先に接続するための接続先情報が付加された配信情報を受け、該接続先情報に基づいて通信網を介して該特定の接続先に接続することができる情報通信端末であって、
該情報通信端末から該特定の接続先に接続するための該情報通信端末の接続操作時から、該情報通信端末から該特定の接続先に対する送信信号の送信時までの遅延時間を、該情報通信端末を識別するための端末識別情報と該情報配信の時刻情報とに基づいて、他の情報通信端末における該遅延時間とずれるように設定することを特徴とする情報通信端末。
【請求項１７】
請求項１６の情報通信端末において、
上記端末識別情報及び上記時刻情報から乱数を生成し、
上記遅延時間の最小単位である時間係数を該乱数に乗じた値を、該遅延時間として用いることを特徴とする情報通信端末。
【請求項１８】
接続先情報に基づいて通信網を介して特定の接続先に接続して通信することができる情報通信端末であって、
該情報通信端末から該特定の接続先に接続するための該情報通信端末の接続操作時から、該情報通信端末から該特定の接続先に対する送信信号の送信時までの遅延時間を、該情報通信端末を識別するための端末識別情報と該情報通信端末内で生成される時刻情報とに基づいて設定することを特徴とする情報通信端末。
【請求項１９】
特定の接続先に接続するための接続先情報が付加された配信情報を、情報発信装置から通信網を介して受信し、該接続先情報に基づいて通信網を介して該特定の接続先に接続して通信することができる情報通信端末であって、
該接続先情報を非表示状態にして該配信情報を表示することを特徴とする情報通信端末。
【請求項２０】
複数の情報通信端末から通信網を介して特定の接続先に接続して通信する際に、該情報通信端末が持つ固有の端末識別情報に特定の数式で演算を行い、その演算結果の数値に係数を掛けたものを、該情報通信端末の使用者がアクセス操作をしてから実際に該通信網にアクセスできるまでの遅延時間として設定し、該通信網にアクセスするトラフィックを分散制御することを特徴とする通信網におけるトラフィックの分散制御方法。
【請求項２１】
情報発信装置から通信網を介して複数の情報通信端末に対し、特定の接続先に接続するための接続先情報が付加された配信情報を配信し、該接続先情報に基づいて各情報通信端末から通信網を介して該特定の接続先に接続して通信する際に、該情報通信端末が持つ固有の端末識別情報、又は該情報発信装置から配信するごとに異なる値が設定される情報に特定の数式で演算を行い、その演算結果の数値に係数を掛けたものを、該情報通信端末の使用者がアクセス操作をしてから実際に該通信網にアクセスできるまでの遅延時間として設定し、該通信網にアクセスするトラフィックを分散制御することを特徴とする通信網におけるトラフィックの分散制御方法。
【請求項２２】
通信網を介して複数の情報通信端末に対し、特定の接続先に接続するための接続先情報が付加された配信情報を発信する情報発信装置であって、
該情報通信端末から該特定の接続先に接続するための該情報通信端末の接続操作時から、該情報通信端末から該特定の接続先に対する送信信号の送信時までの遅延時間を該情報通信端末で設定するときに用いる該遅延時間の最小単位である時間係数を、該配信情報に付加して各情報通信端末に配信するように構成したことを特徴とする情報発信装置。
【請求項２３】
通信網を介して複数の情報通信端末に対し、特定の接続先に接続するための接続先情報が付加された配信情報を発信する情報発信装置であって、
該情報通信端末から該特定の接続先に接続するための該情報通信端末の接続操作時から、該情報通信端末から該特定の接続先に対する送信信号の送信時までの遅延時間を該情報通信端末で設定するか否かを指定するための遅延時間設定処理制御情報を、該配信情報に付加して各情報通信端末に配信するように構成したことを特徴とする情報発信装置。
【請求項２４】
請求項２２又は２３の情報発信装置において、
情報配信先である上記情報通信端末が携帯電話機であり、
上記通信網が携帯電話通信網を含むことを特徴とする情報発信装置。
【手続補正３】
【補正対象書類名】明細書
【補正対象項目名】０００１
【補正方法】変更
【補正の内容】
【０００１】
【発明の属する技術分野】
本発明は、複数の情報通信端末から通信網を介して特定の接続先に一斉に接続して通信しようとする場合でも、通信網における負荷増大を抑えて輻輳の発生を未然に防止することができる通信方法、通信網におけるトラフィックの分散制御方法、情報配信システム、情報発信装置及び情報通信端末に関するものである。
【手続補正４】
【補正対象書類名】明細書
【補正対象項目名】０００４
【補正方法】変更
【補正の内容】
【０００４】
本発明は以上の背景の下でなされたものであり、その目的は、複数の情報通信端末から通信網を介して特定の接続先に一斉に接続して通信しようとする場合でも、通信網における負荷増大を抑えて輻輳の発生を未然に防止することができる通信方法、通信網におけるトラフィックの分散制御方法、並びに該通信方法に用いる情報配信システム、情報発信装置及び情報通信端末を提供することである。
【手続補正５】
【補正対象書類名】明細書
【補正対象項目名】００１９
【補正方法】変更
【補正の内容】
【００１９】
請求項１４の発明は、配信情報を発信する情報発信装置と、該情報発信装置と複数の情報通信端末との間の情報伝送を中継する中継装置を含む通信網とを用いて構成され、該情報発信装置から該通信網を介して複数の情報通信端末に対し、特定の接続先に接続するための接続先情報が付加された配信情報を配信し、該接続先情報に基づいて各情報通信端末から通信網を介して該特定の接続先に接続して通信するための情報配信システムであって、該情報通信端末から該特定の接続先に接続するための該情報通信端末の接続操作時から、該情報通信端末から該特定の接続先に対する送信信号の送信時までの遅延時間を該情報通信端末で設定するか否かを指定するための遅延時間設定処理制御情報を、該配信情報に付加して各情報通信端末に配信するように、該情報発信装置を構成したことを特徴とするものである。
この請求項１４の情報配信システムでは、情報発信装置から、上記遅延時間設定処理制御情報を配信情報に付加して各情報通信端末に配信することにより、複数の情報通信端末から特定の接続先への接続の集中の有無を予想することができる情報発信装置側から、各情報通信端末で遅延時間の設定処理を行なうか否かを制御する。
【手続補正６】
【補正対象書類名】明細書
【補正対象項目名】００２６
【補正方法】変更
【補正の内容】
【００２６】
請求項２１の発明は、情報発信装置から通信網を介して複数の情報通信端末に対し、特定の接続先に接続するための接続先情報が付加された配信情報を配信し、該接続先情報に基づいて各情報通信端末から通信網を介して該特定の接続先に接続して通信する際に、該情報通信端末が持つ固有の端末識別情報、又は該情報発信装置から配信するごとに異なる値が設定される情報に特定の数式で演算を行い、その演算結果の数値に係数を掛けたものを、該情報通信端末の使用者がアクセス操作をしてから実際に該通信網にアクセスできるまでの遅延時間として設定し、該通信網にアクセスするトラフィックを分散制御することを特徴とするものである。
この請求項２１の通信網におけるトラフィックの分散制御方法では、上記所定の演算処理で得られた値を、上記遅延時間として設定することにより、その遅延時間を情報通信端末ごとにずらして分散させる。これにより、情報発信装置から配信情報が配信された複数の情報通信端末から通信網を介して特定の接続先へ送られる送信信号の送信タイミングを、時間的に分散させ、通信網における輻輳が発生しないようにする。
請求項２２の発明は、通信網を介して複数の情報通信端末に対し、特定の接続先に接続するための接続先情報が付加された配信情報を発信する情報発信装置であって、該情報通信端末から該特定の接続先に接続するための該情報通信端末の接続操作時から、該情報通信端末から該特定の接続先に対する送信信号の送信時までの遅延時間を該情報通信端末で設定するときに用いる該遅延時間の最小単位である時間係数を、該配信情報に付加して各情報通信端末に配信するように構成したことを特徴とするものである。
この請求項２２の情報発信装置では、上記遅延時間の最小単位である時間係数を配信情報に付加して各情報通信端末に配信する。この配信情報が配信された情報通信端末では、内部で生成した乱数に該配信情報に付加された時間係数を乗じた値を遅延時間として設定することできる。これにより、遅延時間を情報通信端末ごとにずらしてより均一に分散させることができる。そして、上記時間係数を各情報通信端末に配信しているので、情報通信端末ごとにずらして分散させる遅延時間の分散時間幅を、情報発信装置側から制御することができる。
請求項２３の発明は、通信網を介して複数の情報通信端末に対し、特定の接続先に接続するための接続先情報が付加された配信情報を発信する情報発信装置であって、該情報通信端末から該特定の接続先に接続するための該情報通信端末の接続操作時から、該情報通信端末から該特定の接続先に対する送信信号の送信時までの遅延時間を該情報通信端末で設定するか否かを指定するための遅延時間設定処理制御情報を、該配信情報に付加して各情報通信端末に配信するように構成したことを特徴とするものである。
この請求項２３の情報発信装置では、上記遅延時間設定処理制御情報を配信情報に付加して各情報通信端末に配信することにより、複数の情報通信端末から特定の接続先への接続の集中の有無を予想することができる情報発信装置側から、各情報通信端末で遅延時間の設定処理を行なうか否かを制御する。
請求項２４の発明は、請求項２２又は２３の情報発信装置において、情報配信先である上記情報通信端末が携帯電話機であり、上記通信網が携帯電話通信網を含むことを特徴とするものである。
この請求項２４の情報発信装置では、上記遅延時間を携帯電話機ごとにずらして分散させることにより、複数の携帯電話機から携帯電話通信網を含む通信網を介して特定の接続先に接続して通信するときに、その特定の接続先に送られる送信信号の送信タイミングを時間的に分散させ、通信網における輻輳が発生しないようにする。
【手続補正７】
【補正対象書類名】明細書
【補正対象項目名】００５６
【補正方法】変更
【補正の内容】
【００５６】
【発明の効果】
請求項１乃至２４の発明によれば、情報発信装置から配信情報が配信された複数の情報通信端末から通信網を介して特定の接続先へ送られる送信信号の送信タイミングを分散させることにより、複数の情報通信端末から通信網を介して特定の接続先に一斉に接続して通信しようとする場合でも、通信網における負荷増大を抑えて輻輳の発生を未然に防止することができるという優れた効果がある。
特に、請求項２、９及び１６の発明によれば、上記遅延時間を情報通信端末ごとに異なるように且つ情報通信端末のそれぞれについて偏らないように設定することにより、上記遅延時間をより確実に分散させることができるという優れた効果がある。
特に、請求項３、１３、１７及び２２の発明によれば、情報通信端末ごとに異なるように生成された乱数に時間係数を乗じた値を遅延時間として設定することにより、遅延時間を情報通信端末ごとにずらしてより均一に分散させることができるという優れた効果がある。
特に、請求項４の発明によれば、情報通信端末ごとにずらして分散させる遅延時間の分散時間幅を、情報発信装置側から制御することができるという優れた効果がある。
特に、請求項５の発明によれば、情報通信端末ごとにずらして分散させる遅延時間の分散時間幅を最適幅に設定し、情報通信端末の使用者に待ち時間を意識させることなく、通信網における輻輳の発生を確実に防止することができるという優れた効果がある。
特に、請求項６の発明によれば、上記遅延時間の設定処理を必要に応じて行なうようにすることにより、情報通信端末における無駄なデータ処理を回避することができるという優れた効果がある。
特に、請求項７、１４及び２３の発明によれば、複数の情報通信端末から特定の接続先への接続の集中の有無を予想することができる情報発信装置側から、各情報通信端末で遅延時間の設定処理を行なうか否かを制御することにより、上記情報通信端末における無駄なデータ処理をより確実に回避することができるという優れた効果がある。
特に、請求項８、９、１８及び２０の発明によれば、情報発信装置からの情報配信がないときでも、複数の情報通信端末から通信網を介して特定の接続先に一斉に接続して通信しようとする場合に、通信網における負荷増大を抑えて輻輳の発生を未然に防止することができるという優れた効果がある。
特に、請求項１０及び１９の発明によれば、情報通信端末の表示部に接続先情報を表示しないことにより、他の通信手段を介して特定の接続先に接続できないようにすることにより、通信網の輻輳を更に防止することができるという優れた効果がある。
特に、請求項１１の発明によれば、各情報配信地域の情報通信端末から特定の接続先へ送られる送信信号の送信タイミングを情報配信地域ごとに分散させることにより、通信網における輻輳が発生しないようにすることができるという優れた効果がある。
特に、請求項１２、１５及び２４の発明によれば、複数の携帯電話機から携帯電話通信網を含む通信網を介して特定の接続先に接続して通信するときに、その特定の接続先に送られる送信信号の送信タイミングを時間的に分散させることにより、携帯電話通信網を含む通信網における輻輳が発生しないようにすることができるという優れた効果がある。